(57)【要約】アイドル状態または休止モードにあり、関連のピア・エンティティからの待機中のコール／データがあるモバイル端末に向けて、待機中のコール／データに関連するサービスの品質（ＱｏＳ）に従い、無線通信ネットワークからページング・メッセージが送信される。ただし、個々の待機中のコール／データに関連付けられたＱｏＳにはコール／データのタイプが含まれる。モバイル端末がＱｏＳを認識できるようにするために、ＲＮＣから別のＲＮＣ、またはＲＮＣからＢＴＳに送信されるページング・アナウンス要求にはＱｏＳフィールドが含まれている。ＱｏＳフィールドには、待機中のコールのタイプを示す待機中のコール／データのサービスのＱｏＳクラス、モバイル端末が加入している待機中のコール／データのサービスのグレード、およびオプションでその他のＱｏＳサービス・フロー・パラメータが含まれており、こうした情報の有無はネットワークで使用する無線技術のタイプによって変わる。
2009524987.tif 000002
【特許請求の範囲】
【請求項１】
無線通信ネットワークにおいて、
ページング・メッセージを送信することによってアイドル状態または休止モードにあるモバイル端末を復帰させ、前記アイドル状態または休止モードにあるモバイル端末のコール／データが前記ネットワーク上で待機している場合に、前記モバイル端末から前記無線ネットワークへの接続を再確立するステップを備えており、
複数のページング・メッセージが待機中のコール／データを保持するアイドル状態または休止モードにあるモバイル端末に送信されるのを待機している場合に、前記複数のページング・メッセージがそれぞれの待機しているモバイル端末に送信される順序に、少なくとも１つの関連のサービス品質（ＱｏＳ）パラメータに従って優先順位を付けることを特徴とする方法。
【請求項２】
前記少なくとも１つのＱｏＳパラメータは、前記待機中のコール／データのそれぞれに関連付けられた前記待機中のコール／データのタイプを指定するサービスのクラスを備える請求項１に記載の方法。
【請求項３】
前記少なくとも１つのＱｏＳパラメータは、前記関連付けられたアイドル状態または休止モードにあるモバイル端末の少なくともいくつかが加入するサービスのグレードをさらに備える請求項２に記載の方法。
【請求項４】
前記少なくとも１つのＱｏＳパラメータは、待機中のコール／データに関連付けられた少なくとも１つのＱｏＳサービス・フロー・パラメータをさらに備える請求項２に記載の方法。
【請求項５】
より遅延の影響を受けやすいタイプの待機中のコール／データに関してアイドル状態または休止モードにあるモバイル端末を復帰させるためのページング・メッセージは、より遅延の影響を受けにくいタイプの待機中のコール／データに関してアイドル状態または休止モードにあるモバイル端末を復帰させるためのページング・メッセージより前に送信される請求項２に記載の方法。
【請求項６】
よりグレードの高いサービスに加入しているアイドル状態または休止モードにあるモバイル端末を復帰させるためのページング・メッセージは、よりグレードの低いサービスに加入しているアイドル状態または休止モードにあるモバイル端末を復帰させるためのページング・メッセージより前に送信される請求項３に記載の方法。
【請求項７】
アイドル状態または休止モードにあるモバイル端末を復帰させるために送信された前記ページング・メッセージは、前記待機中のコール／データの前記タイプの指定を備える請求項２に記載の方法。
【請求項８】
アイドル状態または休止モードにあるモバイル端末を復帰させるために送信された前記ページング・メッセージは、前記無線ネットワークへの前記接続を再確立するときに使用する前記モバイル端末に関する追加の情報をさらに備える請求項７に記載の方法。
【請求項９】
前記追加の情報は、前記無線端末が使用するＣＤＭＡコードとコール発信要求に使用するために割り当てられたページング応答スロットとを備えており、前記ページング・メッセージに含まれる前記追加の情報は、あらかじめ指定されたタイプの待機中のコール／データについてのみ送信される請求項８に記載の方法。
【請求項１０】
前記あらかじめ指定されたタイプの待機中のコール／データは、最も遅延の影響を受けやすいコール／データである請求項９に記載の方法。
【請求項１１】
無線通信ネットワーク内のアイドル状態または休止モードにあるモバイル端末において、
前記アイドル状態または休止モードにあるモバイル端末を復帰させ、前記アイドル状態または休止モードにあるモバイル端末のコール／データが前記ネットワーク上で待機している場合に、前記無線ネットワークへの接続を再確立するためのページング・メッセージを受信するステップを備えており、
前記待機中のコール／データのタイプを含むページング・メッセージの受信に応答して、前記受信したページング・メッセージ内に指定された前記待機中のコール／データのタイプに基づいて、前記待機中のコールに必要な帯域幅の指定を備えるコール発信要求を送信することを特徴とする方法。
【請求項１２】
リソースを割り当て、前記受信したページング・メッセージ内に指定された前記待機中のコール／データのタイプのプロトコル・スタックをアクティブ化するステップを備える請求項１１に記載の方法。
【請求項１３】
前記受信したページング・メッセージが割り当てられたページング応答スロットを含む場合に、前記割り当てられたスロットで前記コール発信要求を送信する請求項１１に記載の方法。
【請求項１４】
前記受信したページング・メッセージがＣＤＭＡコードを含む場合に、前記再確立された接続で前記ＣＤＭＡコードを使用する請求項１１に記載の方法。
【発明の詳細な説明】
【技術分野】
【０００１】
本発明は、無線通信に関する。
【背景技術】
【０００２】
現在の無線通信システムでは、モバイル端末（ｍｏｂｉｌｅ  ｔｅｒｍｉｎａｌ）は、ピア・エンティティ（ｐｅｅｒ  ｅｎｔｉｔｙ）との通信リンクが確立された後で、現在送信するデータを保持せず、通信しているピア・エンティティからの着信データを受信していない場合に、「アイドル（ｉｄｌｅ）」状態または「休止（ｄｏｒｍａｎｔ）」モードに入る。ピア・エンティティは、それ自体がモバイル端末でも、任意のタイプの固定された有線端末でもよい。モバイル端末がアイドル状態に入ると、モバイル端末と無線ネットワークとのアクティブな無線リンクは廃棄される（ｔｏｒｎ  ｄｏｗｎ）が、ネットワークは依然としてコールＩＤ、コール属性を維持しており、ピア・エンティティとモバイル端末との間のコール・セッションは引き続き有効な状態にある。アイドル状態にある間も、ピア・エンティティは通信していたモバイル端末への無線リンクがアクティブではなくなっていることを認識しない。したがって、ピア・エンティティは任意のタイミングで通信（音声でもデータでもよい）を再開し、こうした音声またはデータを送信することができる。ピア・エンティティが通信を再開するときに、モバイル端末はアイドル状態から復帰し、ネットワークとの無線リンクを再確立する必要がある。モバイル端末を「復帰」させるために、無線ネットワーク・コントローラ（ＲＮＣ：Ｒａｄｉｏ  Ｎｅｔｗｏｒｋ  Ｃｏｎｔｒｏｌｌｅｒ）はピア・エンティティからの着信コール／データをバッファに格納し（ｂｕｆｆｅｒｓ）、モバイル端末が最後に関連付けられ、モバイル端末がアイドル状態に入る前にネットワークに情報を送信したページング・グループ内の無線基地局（ＢＴＳ：Ｂａｓｅ  Ｔｒａｎｓｃｅｉｖｅｒ  Ｓｔａｔｉｏｎｓ）に、ページング・アナウンス（Ｐａｇｉｎｇ  Ａｎｎｏｕｎｃｅ）要求を送信する。次に、ページング・グループ内のＢＴＳはページング・チャネル上のページング（Ｐａｇｉｎｇ）メッセージをブロードキャスト送信し、アイドル状態のモバイル端末を「復帰」させる。ページング・チャネルをリスンしている（ｌｉｓｔｅｎｉｎｇ  ｔｏ）アイドル状態のモバイル端末がそのページングを「ヒア（ｈｅａｒｓ）」する場合に、モバイル端末は復帰し、コール発信（Ｃａｌｌ  Ｏｒｉｇｉｎａｔｉｏｎ）要求をネットワークに送信して無線接続を再確立することによって、それ以降に着信コール／データを受信できるようになる。
【０００３】
「ＢＴＳ」という用語は、本明細書ではモバイル端末との無線インターフェースを終了させるデバイスを表すために使用されている。一部の無線技術では、基地局やセルといった他の用語が使用されることは言うまでもない。本明細書の「発明を実施するための最良の形態」および「特許請求の範囲」で使用する限り、ＢＴＳという用語は、こうした同様の機能を実行する基本的に同等の任意かつすべてのデバイスを含むものと理解されるものとする。同様に、「ＲＮＣ」という用語は、本明細書で使用する限り、複数のＢＴＳを制御し、接続するＢＴＳにコア・ネットワークへの共通のインターフェースを提供するデバイスを表すために使用されている。一部の無線技術では、ゲートウェイやモバイル交換局（ＭＳＣ：Ｍｏｂｉｌｅ  Ｓｗｉｔｃｈｉｎｇ  Ｃｅｎｔｅｒ）といった他の用語が使用されることは言うまでもない。基地局およびＲＮＣが共同で設置されている場合は、基地局ルーター（ＢＳＲ）とも呼ばれる。本明細書の「発明を実施するための最良の形態」および「特許請求の範囲」で使用する限り、ＲＮＣという用語はこうした同様の機能を実行する基本的に同等の任意かつすべてのデバイスを含むものと理解されるものとする。
【発明の開示】
【発明が解決しようとする課題】
【０００４】
ＢＴＳがページングを行う複数のモバイル端末がある場合は、先着順にページングが開始される。無線リンク上のページング・チャネルを使用するための競合は、特定のコールまたはデータ・フローに対して提供されるサービスの品質を維持する能力に悪影響を及ぼす可能性があるのが不都合である。
【課題を解決するための手段】
【０００５】
本発明の実施形態により、アイドル状態にあり、関連のピア・エンティティからの待機中のコール／データ（ｗａｉｔｉｎｇ  ｃａｌｌ／ｄａｔａ）があるモバイル端末に向けて、待機中のコール／データに関連付けられた少なくとも１つのサービスの品質パラメータに従い、無線通信ネットワークからページング・メッセージがブロードキャストされる（ｂｒｏａｄｃａｓｔ）。ただし、コール／データに関連付けられたサービスの品質パラメータにはコール／データのタイプが含まれる。
【０００６】
本発明の実施形態により、ＲＮＣから別のＲＮＣ、またはＲＮＣからＢＴＳに送信されたページング・アナウンス要求に「サービスの品質（ＱｏＳ）」フィールドが含まれており、ページングの手順でＱｏＳを認識できるようにする。１つの例示的な実施形態では、本実施形態が適用される無線技術により、ＱｏＳフィールドにはコールのタイプを示すコール／データのサービスのＱｏＳクラス（ＱｏＳ  ｃｌａｓｓ  ｏｆ  ｓｅｒｖｉｃｅ）、モバイル端末が加入しているコール／データのサービスのグレード、およびオプションで他のＱｏＳサービス・フロー・パラメータ（ｓｅｒｖｉｃｅ  ｆｌｏｗ  ｐａｒａｍｅｔｅｒｓ）が含まれる。
【０００７】
本発明の実施形態が使用される無線技術によって、ＢＴＳから待機中のコール／データを伴うＢＴＳに接続されたモバイル端末へのページング・メッセージ送信の優先順位付けは、ＲＮＣでこうした待機中のコール／データに関連付けられた使用可能なＱｏＳ情報を使用することによって実行されるか、またはＢＴＳでこうしたモバイル端末のために受信された個々のページング・アナウンス・メッセージに含まれるＱｏＳ情報を使用することによって実行される。したがって、遅延の影響を受けやすい（ｍｏｒｅ  ｄｅｌａｙ  ｓｅｎｓｉｔｉｖｅ）コール／データ・フローを待機しているモバイル端末のページングは、遅延の影響を受けにくい（ｌｅｓｓ  ｄｅｌａｙ−ｓｅｎｓｉｔｉｖｅ）コール／データ・フローに関与するモバイル端末のページングより優先される。したがって、例えば、待機ＶｏＩＰコールで接続されているモバイル端末のページングは、Ｗｅｂ閲覧（ｂｒｏｗｓｉｎｇ）セッションで接続されているモバイル端末のページングより優先される。これは、前者より後者の方が遅延の影響を受けにくいためである。サービスのグレードを優先順位付けの因子として使用すると、例として最高のサービス・レベルである「ゴールド（ｇｏｌｄ）」レベルの加入者へのコール／データに関連付けられたページングは、サービスのグレードがより低い（例えば、「シルバー（ｓｉｌｖｅｒ）」または「ブロンズ（ｂｒｏｎｚｅ）」とする）の加入者へのコール／データに関連付けられたページングより優先される。
【０００８】
一実施形態では、アイドル状態にあるモバイル端末を復帰させるためにこうした端末にブロードキャストされるページング・メッセージに、モバイル端末で使用することによって接続再確立の待ち時間を短縮できる待機中のコール／データに関連する追加のＱｏＳ情報を含めることができる。Ｗｉｍａｘ  ＩＥＥＥ  ８０２．１６ｅ標準に従って動作するシステム内の一実施形態では、例えば、ページング・メッセージでは、待機中のコール（ｃａｌｌ  ｗａｉｔｉｎｇ）のＱｏＳタイプ、再接続された無線リンクに使用するＣＤＭＡコード、および割り当てられたページング応答スロットを指定することができる。ただし、後の２つのパラメータはＱｏＳタイプに応じて割り当てられ、一実施形態では優先順位の高いＱｏＳコール・タイプにのみ指定することができる。
【０００９】
一実施形態では、モバイル端末は、待機中のコール／データに関連付けられたページング・メッセージ内のコール・タイプの情報を使用して、指定されたコール・タイプに必要な要求された帯域幅で特定されたタイプのコールの設定を要求するネットワークにコール発信要求を送信できる。一方で、内部的にリソースを割り当てると同時に、指定されたコール・タイプに関連付けられたプロトコル・スタックをアクティブにする。接続を再確立するためのコール・セットアップ時間全体が大幅に短縮されるのが有利である。
【００１０】
本発明は、以下に示す「発明を実施するための最良の形態」を添付の図面に関連付けながら参照することによってより深く理解されるであろう。
【発明を実施するための最良の形態】
【００１１】
図１を参照すると、無線通信ネットワーク１０４において、モバイル端末１０１はＢＴＳ  １０２とＲＮＣ  １０３を経由して無線リンク上のコール・セッションで通信している。ＲＮＣ  １０３は、モバイル端末１０１とアクティブなコール／データ・セッションを共有するピア・エンティティ１０６に、コア・ネットワーク１０５を経由して接続する。モバイル端末１０１は、自らが接続されている特定の無線通信ネットワーク１０４に関連して動作するいかなるタイプのモバイル端末でもよい。例えば、無線ネットワーク１０４は３Ｇネットワーク、ＩＥＥＥ  ８０２．１６ｅ標準に従って動作するＷｉｍａｘネットワーク、ＵＭＴＳネットワーク（Ｒｅｖｉｓｉｏｎ９９、ＨＳＤＰＡなど）、３ＧＰＰ２  １ｘ−ＥＶＤＯ  ＲｅｖＡネットワークのいずれでもよく、それ以外のいかなるタイプの無線通信ネットワークでもよい。モバイル端末は、例えば、携帯電話、ＰＤＡ、コンピュータのいずれでもよく、それ以外のいかなるタイプのモバイル・デバイスでもよい。ピア・エンティティ１０６は、モバイル端末１０１と通信できるいかなるタイプの端末でもよく、通信ネットワークに配線で接続されている端末でも、それ自体がモバイル端末であって、モバイル端末１０１が接続されている無線ネットワーク１０４と異なる無線ネットワークに接続されていても、同じ無線ネットワークに接続されていてもよい。
【００１２】
ＲＮＣ  １０３は、ＢＴＳ  １０２に接続されている以外に、ＢＴＳ  １０７およびその他のＢＴＳ（図示せず）に接続されており、そのすべてが共通のページング・グループ１０８内に存在している。ＲＮＣ  １０３は、さらに異なるページング・グループ１１１内にあるＢＴＳ  １０９、ＢＴＳ  １１０およびその他のＢＴＳ（図示せず）にも接続されている。さらに、ＲＮＣ  １０３は、その他のページング・グループ（図示せず）内にあるその他のＢＴＳ（図示せず）にも接続されている。無線ネットワーク１０４には、さらに別々のページング・グループ内にあるその他のＢＴＳ（図示せず）が接続されているその他のＲＮＣ（図示せず）も含まれている。
【００１３】
モバイル端末１０１とピア・エンティティ１０６との間で確立された接続の間に、モバイル端末１０１とピア・エンティティ１０６のいずれかが他方に現在送信する音声もデータもないために通信が終了した場合に、モバイル端末１０１はアイドル状態または休止モードに入る。モバイル端末１０１がアイドル状態または休止モードに入ると、ＲＮＣ  １０３はモバイル端末１０１とＢＴＳ  １０２との無線リンクを廃棄する。モバイル端末１０１は、ＢＴＳ  １０２を経由してＲＮＣ  １０３に送信されたメッセージによってこのアクションを開始するか、または、接続の２つのエンドポイント間にデータ・フローがないことの結果として、ＲＮＣ  １０３がこうしたアクションを一方的に開始する。ＲＮＣ  １０３は、ネットワーク管理上の理由でこのアクションを開始することもできる。モバイル端末１０１がアイドル状態または休止モードにある間も、ＲＮＣ  １０３はピア・エンティティ１０６とモバイル端末１０１とのコール・セッション１１２を維持している。
【００１４】
モバイル端末１０１は、アイドル状態または休止モードにある間、引き続きＢＴＳ  １０２の範囲内にあってもよく、同じページング・グループ１０８内の別のＢＴＳ（例えばＢＴＳ  １０７）の範囲に移動してもよい。ただし、別のページング・グループに含まれる別のＢＴＳ（例えばページング・グループ１１１内のＢＴＳ  １０９）もコール・セッションを維持しているＲＮＣ  １０３に接続されている場合は、こうしたＢＴＳの範囲に移動してもよい。モバイル端末１０１が別のページング・グループに含まれる別のＢＴＳの範囲に移動する場合は、定期的な復帰周期の間に新しいページング・グループとの関連付けをＲＮＣ  １０３に報告する。アイドル状態または休止モードにある間に、モバイル端末１０１はＲＮＣ  １０３に関連付けられた任意のＢＴＳの範囲外に移動し、別のＲＮＣ（図示せず）に接続されたＢＴＳの範囲内に入ることもできる。この場合も、モバイル端末１０１が自らを別のＲＮＣの制御下にあることを認識すると、モバイル端末１０１はその最新の関連付けを新しいＲＮＣに報告し、新しいＲＮＣはセッション１１２を維持している元のＲＮＣ  １０３にその新しいＢＴＳとＲＮＣとの関連付けを転送する。
【００１５】
モバイル端末１０１がアイドル状態または休止モードにある間にどこに移動するかにかかわらず、元のＲＮＣ  １０３上にはコール・セッションがアクティブなまま残り、コール・セッションはアクティブな状態に維持される。ピア・エンティティ１０６が現在のセッションでコール／データの送信を再開するときに、モバイル端末１０１はアイドル状態または休止モードから復帰し、コール発信を開始することによってネットワークへの無線リンクを再確立する必要がある。前述の先行技術と同様に、ＲＮＣ  １０３は待機中のコール／データをバッファに格納し、最後に報告されたモバイル端末１０１の場所に関連付けられたページング・グループに含まれるＢＴＳのそれぞれにページング・アナウンス要求を送信する。このようにして、最後に報告されたモバイル端末１０１の場所が元のページング・グループ１０８内にある場合に、ＲＮＣ  １０３はＢＴＳ  １０２、ＢＴＳ  １０７およびそのページング・グループに含まれるその他のＢＴＳ（図示せず）にページング・アナウンス要求を送信する。最後に報告されたモバイル端末１０１の場所がページング・グループ１１１内にある場合に、ＲＮＣ  １０３はＢＴＳ  １０９、ＢＴＳ  １１０およびそのページング・グループに含まれるその他のＢＴＳ（図示せず）にページング・アナウンス要求を送信する。ただし、最後に報告されたモバイル端末１０１の場所が別のＲＮＣに関連付けられたページング・グループ内にある場合は、ＲＮＣ  １０３がこの新しいＲＮＣにページング・アナウンス要求を送信し、続いて新しいＲＮＣが新しいＲＮＣの対象領域（ｃｏｖｅｒａｇｅ  ａｒｅａ）内の最後に報告されたモバイル端末の場所に関連付けられたページング・グループ内のＢＴＳにこのページング・アナウンス要求を送信する。
【００１６】
ＢＴＳがその関連のＲＮＣからページング・アナウンス要求を受信すると、ＢＴＳはページング・チャネル上のページング・メッセージをブロードキャストすることによって、モバイル端末１０１を復帰させ、着信するコール／データについて警告する。高トラフィック（ｈｉｇｈ  ｔｒａｆｆｉｃ）領域では、ＲＮＣは多くの場合にＲＮＣに関連付けられたＢＴＳに多くのページング・アナウンス要求を送信し、続いて各ＢＴＳは現在アイドル状態または休止モードから復帰する必要のある多くのモバイル端末にページング・メッセージをブロードキャストする。しかし、ページング・メッセージがＢＴＳによって先着順にブロードキャストされる先行技術とは異なり、本実施形態では再確立する必要のある特定のコール／データ・セッションに関連付けられたＱｏＳ情報に基づいてそのページング・チャネル上のページング・メッセージをブロードキャストする。したがって、ＢＴＳにページング・チャネル上でその領域内の複数のモバイル端末にブロードキャストされるまで待機しているページング・メッセージのキューが存在する場合に、優先順位が高く、遅延の影響を受けやすいコール／データ・セッションを備えるモバイル端末に向けられたページング・メッセージは、優先順位が低く、遅延の影響を受けにくいコール／データ・セッションを備えるモバイル端末に向けられたページング・メッセージより前にブロードキャストされる。
【００１７】
ＢＴＳがページング・チャネル上で何を送信するかは、ページング関数（Ｐａｇｉｎｇ  Ｆｕｎｃｔｉｏｎ）によって制御される。ページング関数はＲＮＣ側にあってもＢＴＳ側にあってもよく、その場所は無線ネットワークの特定の無線技術によって異なる。ページング関数は、存在する場所にかかわらず、待機中のコール／データのＱｏＳコール・タイプおよびサービスのグレードに従って、待機中のコール／データのＢＴＳによるページング・メッセージ送信の優先順位付けを担当する。
【００１８】
図２は、例示的なページング・アナウンス要求のフォーマットを示している。ページング・アナウンス要求は、ＲＮＣから別のＲＮＣに送信され（最後に報告されたモバイル端末の場所が着信するコール／データをバッファに格納する元のＲＮＣとは別のＲＮＣに接続されたＢＴＳの範囲内にある場合）、そこから最後に報告された場所に関連付けられたこの別のＲＮＣのページング・グループに含まれるＢＴＳに送信されるか、または最後に報告されたモバイル端末の場所に関連付けられたページング・グループ内にあるＢＴＳに直接送信される（その場所が依然としてコール・セッションを保持し、着信するコール／データをバッファに格納する元のＲＮＣに関連付けられている場合）。ページング・アナウンス要求２０１には、復帰するモバイル端末を識別するためのＭＳＩＤ  （Ｍｏｂｉｌｅ  ｔｅｒｍｉｎａｌ  ＩＤｅｎｔｉｔｙ：モバイル端末識別子）フィールド２０２と、ＱｏＳフィールド２０３が含まれている。ＱｏＳフィールド２０３には、サービスのＱｏＳクラス・サブフィールド２０４、サービスのグレード（ｇｒａｄｅ）サブフィールド２０５、およびオプションのＱｏＳサービス・フロー・パラメータを格納するフィールド２０６が含まれる。サービスのＱｏＳクラス・サブフィールド２０４に格納される情報は、待機中のコール／データのタイプを示している。例えば、このフィールドには、コール・タイプがＶｏＩＰコール、Ｔ１／Ｅ１エミュレーション、音声ストリーミング（ｖｏｉｃｅ  ｓｔｒｅａｍｉｎｇ）またはビデオ・ストリーミング（ｖｉｄｅｏ  ｓｔｒｅａｍｉｎｇ）、ｆｔｐ、Ｗｅｂ閲覧などのいずれであるかを指定できる。
【００１９】
Ｗｉｍａｘ無線ネットワークでは、サービスのＱｏＳクラス・サブフィールド２０４に格納される情報は、コールが以下のクラスのアップリンク・サービス（それぞれ属性を定義している）、すなわち（１）Ｕｎｓｏｌｉｃｉｔｅｄ  Ｇｒａｎｔ  Ｓｅｒｖｉｃｅ（ＵＧＳ）（定期的な固定サイズのデータ・パケットを特徴とする一定のビット速度によるリアルタイムのサービスを提供する。例えば、Ｔ１／Ｅ１エミュレーション）、（２）Ｒｅａｌ  Ｔｉｍｅ  Ｖａｒｉａｂｌｅ  Ｒａｔｅ（ＲＴ−ＶＲ）（速度と遅延の保証要件を特徴とするリアルタイム可変ビット・レート（ｒｅａｌ−ｔｉｍｅ−ｖａｒｉａｂｌｅ−ｂｉｔ−ｒａｔｅ）のようなサービスのニーズを満足するように設計されている。例えば、ビデオ・ストリーミングまたは音声ストリーミング）、（３）Ｅｘｔｅｎｄｅｄ  Ｒｅａｌ  Ｔｉｍｅ  Ｖａｒｉａｂｌｅ  Ｂｉｔ  Ｒａｔｅ（ＥＲＴ−ＶＲ）（定期的な可変のサイズのデータ・パケットを生成するリアルタイムのサービス・フローをサポートするように設計されている。例えばＶｏＩＰサービス）、（４）Ｎｏｎ  Ｒｅａｌ  Ｔｉｍｅ  Ｖａｒｉａｂｌｅ  Ｒａｔｅ（ＮＲＴ−ＶＲ）（接続で送信帯域幅要求に関するランダム・アクセス送信の機会を利用できること以外はＲＴ−ＶＲと同様であり、ｆｔｐなどのファイル転送や最小速度が保証されたインターネット・アクセスなどのサービスに利用されるが、長い遅延を容認でき、ジッターの影響を受けにくい）、（５）ベストエフォート型（ＢＥ：Ｂｅｓｔ  Ｅｆｆｏｒｔ）サービス（Ｗｅｂ閲覧のように、スループットについても遅延についても保証されないサービスに使用される）のいずれかであるかどうかを示している。ダウンリンク・サービスについても、同様に追加のサービスのクラス属性を指定できる。
【００２０】
サービスのグレード・サブフィールド２０５に格納される情報は、現在接続待ちのコールのタイプに関してモバイル端末が加入しているサービスのグレードを示している。例えば、３グレードのシステムでは、グレードが最も高いサービスを「ゴールド」レベルのサービス、真ん中のグレードのサービスを「シルバー」レベルのサービス、さらにグレードが最も低いサービスを「ブロンズ」レベルのサービスとし、モバイル端末が加入しているサービスのグレードが高いほど、ネットワーク上でそのモバイル端末が受信または送信するコール／データの優先順位は高くなる。
【００２１】
サブフィールド２０６は、オプションのＱｏＳサービス・フロー・パラメータに使用される。Ｗｉｍａｘ  ＩＥＥＥ  ８０２．１６標準は、前述の各クラスについて、以下のＱｏＳサービス・フロー・パラメータ、すなわち（１）Ｍａｘｉｍｕｍ  Ｓｕｓｔａｉｎｅｄ  Ｔｒａｆｆｉｃ  Ｒａｔｅ（ＭＳＴＲ）、（２）Ｍａｘｉｍｕｍ  Ｌａｔｅｎｃｙ（ＭＬ）、（３）Ｔｏｌｅｒａｔｅｄ  Ｊｉｔｔｅｒ（ＴＪ）、（４）Ｒｅｑｕｅｓｔ／Ｔｒａｎｓｍｉｓｓｉｏｎ  Ｐｏｌｉｃｙ（Ｒ／ＴＰ）、（５）Ｍｉｎｉｍｕｍ  Ｒｅｓｅｒｖｅｄ  Ｔｒａｆｆｉｃ  Ｒａｔｅ（ＭＲＴＲ）、および（６）Ｔｒａｆｆｉｃ  Ｐｒｉｏｒｉｔｙを指定する。したがって、Ｗｉｍａｘネットワークでは、こうしたＱｏＳサービス・フロー・パラメータをサブフィールド２０６で指定できる。
【００２２】
ＢＴＳは、受信したページング・アナウンス要求のそれぞれについてページング・メッセージを生成し、モバイル端末が復帰の指示をリスンしているとＢＴＳが認識している指定のスロットのチャネル上でこのメッセージを送信する。前述のように、ＢＴＳが待機中のコール／データのキューのページング・メッセージをブロードキャストする順序は、ＲＮＣまたはＢＴＳ自体によって決定され、ネットワーク内でこうした優先順位付けが実行される場所は、前述のようにページング関数が存在する場所によって変わる。ただし、ページング・メッセージの優先順位付けは、サブフィールド２０４で指定されたサービスのＱｏＳクラス・パラメータ、サブフィールド２０５で指定されたサービスのグレード・パラメータ、およびサブフィールド２０６で指定されたＱｏＳサービス・フロー・パラメータ（ページング・アナウンス要求にこうしたパラメータが含まれる場合）を使用して実行される。
【００２３】
ＲＮＣまたはＢＴＳで待機中のコール／データの優先順位付けが行われた後で、ＢＴＳによってブロードキャストされ、特定のモバイル端末に向けられる各ページング・メッセージのフォーマットは、図３に示されている。ページング・メッセージが一般的にシングル・ビットで構成されており、送信先のモバイル端末がリスンするために割り当てられたページング・スロット内のページング・チャネル上で送信される先行技術とは異なり、ページング・メッセージ３０１はマルチビットであり、少なくとも１つのＱｏＳタイプ・フィールド３０２を含んでいる。ＱｏＳフィールド３０２は、復帰するアイドル状態または休止モードにあるモバイル端末に対して、待機中のコール／データのタイプ（例えば、Ｗｉｍａｘの実施形態では、上述のように、ＶｏＩＰ、Ｔ１／Ｅｌ、Ｗｅｂ閲覧など、またはＵＧＳ、ＲＴ−ＶＲなど）を指定する。さらに、例えば、Ｗｉｍａｘの実施形態では、ページング・メッセージ３０１には追加のフィールド３０３および３０４を含めることができる。フィールド３０３には、モバイル端末が接続を再確立するときに使用するように割り当てられたＣＤＭＡコードが含まれており、フィールド３０４にはモバイル端末が接続を再確立するときにシステム・アクセス・チャネル（Ｓｙｓｔｅｍ  Ａｃｃｅｓｓ  ｃｈａｎｎｅｌ）上のコール発信要求を送信する場合に使用するために予約されたページング応答スロット（ｐａｇｅ  ｒｅｓｐｏｎｓｅ  ｓｌｏｔ）が含まれている。
【００２４】
ページング・メッセージにＱｏＳタイプ・フィールドを含めることにより、待機中のコール／データのタイプが指定され、モバイル端末は内部的にリソースを割り当て、適切なプロトコル・スタックをアクティブ化し、さらにモバイル端末がネットワークに発信要求を送信した後に実行されるメッセージ交換においてネットワークからの個別のメッセージ受信にこのスタックのアクティブ化が依存する場合より高速の通信準備完了（ｃｏｍｍｕｎｉｃａｔｉｏｎ−ｒｅａｄｙ）状態に入る。これで、モバイル端末への接続を再確立するときの遅延が短縮される。さらに、待機中のコール／データのタイプを認識するときに、モバイル端末はＢＴＳにコール発信要求を送信でき、そこから待機中のコール／データのタイプを指定し、指定された待機中のコール／データのタイプに必要な帯域幅に関する要求を指定するＲＮＣに送信できる。さらに、こうした実施形態では、ページング・メッセージは使用するＣＤＭＡコードとモバイル端末がコール発信要求を送信するために使用するページング応答スロットをモバイル端末に提供し、モバイル端末とネットワークとの後方および前方のメッセージ交換は回避される。それ以外の場合は、無線リンクをセットアップする必要がある。このようにして、待機中のコール／データを前にアイドル状態または休止モードにあったモバイル端末に送信する時の遅延が短縮される。Ｗｉｍａｘによる実施形態では、待機中のコール／データのネットワーク・リソースを予約するフィールド３０３および３０４に格納される情報を使用して、サービスのＱｏＳクラス（１つまたは複数）および／またはサービスのグレードがより高い待機中のコール／データがサービスのＱｏＳクラスおよび／またはサービスのグレードがより低い待機中のコール／データによる限られたネットワーク・リソースの侵害を回避することができる。
【００２５】
本発明の実施形態において、ＲＮＣ、ＢＴＳ、およびモバイル端末で実行されるステップは、それぞれ図４、５、および６に示されている。
【００２６】
図４を参照すると、ステップ４０１でＲＮＣはモバイル端末との既存の無線インターフェースを廃棄する。前述のように、ピア・エンティティとモバイル端末との接続にデータ・フローがないことの結果として、またはネットワーク管理上の理由により、ＲＮＣはこれを一方的に実行してもよい。あるいは、ＲＮＣはモバイル端末からのメッセージを受信して接続を廃棄してもよい。ステップ４０１で無線インターフェースが廃棄されると、ステップ４０２で、ＲＮＣはピア・エンティティとモバイル端末との現在のセッションに関するアイドル状態／休止モードの情報を保持する。無線インターフェースが廃棄され、モバイル端末がアイドル状態または休止モードに入った後で、若干の時間が経過すると、ステップ４０３で、ＲＮＣはモバイル端末のピア・エンティティからコール／データを受信し、このコール／データの送信先のモバイル端末がアイドル状態または休止モードから復帰するまでこのコール／データをバッファに格納する。ステップ４０４で、ＲＮＣはモバイル端末の最後に報告された場所に関連付けられたページング・グループ内のＢＴＳに、またはモバイル端末の最後に報告された場所が別のＲＮＣに接続されたＢＴＳに関連付けられている場合は別のＲＮＣに、ページング・アナウンス要求を送信する。ページング・アナウンス要求には、モバイル端末のＭＳＩＤ、待機中のコールのタイプを示すコール／データのサービスのＱｏＳクラス・フィールド、モバイル端末が加入しているサービスのグレード・フィールド、およびオプションのＱｏＳサービス・フロー・パラメータが含まれる（後者は実施形態によって異なる）。ページング関数が存在する場所によって、ＲＮＣまたはＢＴＳがサービスのＱｏＳクラス、それぞれの待機中のコール／データに関連付けられたサービスのグレード、およびオプションのＱｏＳサービス・フロー・パラメータ（該当する場合）に従って、ＢＴＳによるページング・メッセージ送信の優先順位を付ける。ステップ４０５で、ＲＮＣはモバイル端末からコール・タイプおよびそのコール・タイプに必要な帯域幅を含むコール発信要求を受信し、受信したコール発信要求の情報に基づいて帯域幅を割り当てる。ステップ４０６で、ＲＮＣはＢＴＳに要求メッセージを送信し、モバイル端末との無線リンクを必要な帯域幅でセットアップする。
【００２７】
図５を参照すると、ステップ５０１でＢＴＳはモバイル端末との無線インターフェースを廃棄するようにとのメッセージをＲＮＣから受信する。ステップ５０２で、ＢＴＳはモバイル端末にメッセージを送信し、無線インターフェースを廃棄する。後になって、ステップ５０３で、ＢＴＳはＲＮＣからこのモバイル端末の待機中のコール／データに関するページング・アナウンス要求を受信する。この要求には、サービスのＱｏＳクラス、サービスのグレード、および実施形態によってはオプションで待機中のコールのＱｏＳサービス・フロー・パラメータが含まれる。ステップ５０４で、ＢＴＳはモバイル端末にページング・メッセージを送信する。これには、ＢＴＳまたはＲＮＣにあるページング関数によって優先順位が付けられている。ページング・メッセージには、待機中のコール／データのタイプを指定するＱｏＳタイプ、および実施形態とコール／データのタイプによってモバイル端末が使用するＣＤＭＡコード、およびモバイル端末がコール発信要求に使用するために予約されたページング応答スロットが含まれる。ステップ５０５で、ＢＴＳは再確立されたコール／データに必要になる必要な帯域幅を含むコール発信要求をモバイル端末から受信し、この要求はＲＮＣに転送される。ステップ５０６で、ＢＴＳはＲＮＣから要求を受信し、無線インターフェースをセットアップしてモバイル端末との無線リンクを再確立する。
【００２８】
図６を参照すると、ステップ６０１でモバイル端末はアイドル状態または休止モードに入る。ステップ６０２で、モバイル端末はアイドル状態または休止モードに入った後に、復帰するためのページング・メッセージをページング・チャネル上で継続的にリスンする。ステップ６０３で、モバイル端末は待機中のコール／データのタイプを指定するＱｏＳタイプ、およびＷｉｍａｘによる実装の場合はオプションで、再接続に使用するために割り当てられたＣＤＭＡコード、およびモバイル端末がシステム・アクセス・チャネル上のコール発信要求に使用するために予約されたページング応答スロットを含むページング・メッセージを受信する。ステップ６０４で、予約されたページング応答スロットのシステム・アクセス・チャネル上で割り当てられたＣＤＭＡコードを使用してコール発信要求が送信される。さらに、この要求には受信したページング・メッセージ内のＱｏＳタイプで指定されたコールのタイプに必要な帯域幅の要求が含まれる。ステップ６０５で、モバイル端末はリソースを割り当てると同時に指定されたコール・タイプのプロトコル・スタックをアクティブ化する。ステップ６０６で、リンクが確立した後に、モバイル端末は待機中のコール／データを受信する。
【００２９】
前述の実施形態は、本発明の原理を説明するものである。当業者は、本発明の範囲を逸脱することなく、他の実施形態を考案することができる。
【図面の簡単な説明】
【００３０】
【図１】本発明の実施形態を使用できる一般的な先行技術による無線通信ネットワークを示すブロック図である。
【図２】本発明の一実施形態による、ＲＮＣから別のＲＮＣまたはモバイル端末がその場所を最後に報告したページング・グループ内のＢＴＳに送信されるページング・アナウンス要求のフォーマットを示す図である。
【図３】本発明の一実施形態による、ＲＮＣからモバイル端末が最後に報告した場所に関連付けられたページング・グループ内のＢＴＳにブロードキャストされるページング・メッセージのフォーマットを示す図である。
【図４】本発明の１つの実施態様によるＲＮＣが実行するステップを示す流れ図である。
【図５】本発明の１つの実施態様によるＢＴＳが実行するステップを示す流れ図である。
【図６】本発明の１つの実施態様によるモバイル端末が実行するステップを示す流れ図である。
【図１】
2009524987.tif 000003
【図２】
2009524987.tif 000004
【図３】
2009524987.tif 000005
【図４】
2009524987.tif 000006
【図５】
2009524987.tif 000007
【図６】
2009524987.tif 000008
【国際調査報告】
2009524987.tif 000009
2009524987.tif 000010